(57)【特許請求の範囲】
【請求項１】
被圧縮のガスを吸入して圧縮し、外部へ吐出するスクリュー圧縮機において、
互いに噛み合った雄ロータ及び雌ロータと、
前記雄ロータと前記雌ロータとを回転させる機構と、
前記雄ロータ及び雌ロータとが収められたケーシングと、
前記ケーシングに形成され、前記雄ロータ及び雌ロータの歯部を覆うボア部と、
前記雄ロータの雄歯溝と前記雌ロータの雌歯溝との噛み合い部に形成された複数個の作
動室と、
前記ボア部の前記被圧縮のガスを吸入する側に設けられたアキシャル吸入ポートとを備
え、
前記アキシャル吸入ポートは、前記作動室の容積が最大となるまでの前記回転の回転角
度において、前記外部と前記雌歯溝との連通、前記外部と前記雄歯溝との連通の順番に前
記連通を止める形状であることを特徴とするスクリュー圧縮機。
【請求項２】
請求項１に記載のスクリュー圧縮機において、
前記外部と雄歯溝との連通を止めた後の前記回転の回転角度において、前記作動室の前
記被圧縮のガスを吸入する側は前記ボア部の壁面で覆われたことを特徴とするスクリュー
圧縮機。
【請求項３】
請求項１に記載のスクリュー圧縮機において、
前記アキシャル吸入ポートの輪郭は、前記作動室の容積が最大となるまでの前記回転の
回転角度において、前記回転角度により前記雄ロータの後側となる前記被圧縮のガスを吸
入する側の面での輪郭と、前記回転角度により前記雌ロータの後側となる前記被圧縮のガ
スを吸入する側の面での輪郭とを含み、前記回転方向と反対側に位置する前記被圧縮のガ
スを吸入する面を開口するとともに、前記回転方向側に位置する前記被圧縮のガスを吸入
する面を塞ぐことを特徴とするスクリュー圧縮機。
【請求項４】
請求項１から３の何れかに記載のスクリュー圧縮機において、
前記ボア部の外周面の一部であって、前記噛み合い部が開放される位置に設けられたラ
ジアル吸入ポートを備えたことを特徴とするスクリュー圧縮機。
【発明の詳細な説明】
【技術分野】
【０００１】
本発明は、スクリュー圧縮機に関わり、吸入ポートに関する。
【背景技術】
【０００２】
スクリュー圧縮機の性能すなわちエネルギ効率や体積効率を向上させるため、これまで多くの努力が費やされてきた。性能を決める要因は多々あるが、最近の研究から吸入ポートの輪郭形状がスクリュー圧縮機の性能、特に体積効率に影響することがわかってきた。
【０００３】
特開平６−２８８３６９号公報には、吸入ポートの輪郭について、一時的に容積変化が中断する作動室を備えたスクリュー圧縮機に好適な輪郭形状が開示されている。
【０００４】
また、特開平１０−９１６４号公報には、吸入動作を断続させることにより吸い込み流量を増す方法が開示されている。特開平６−２８８３６９号公報及び特開平１０−９１６４号公報は、各々適合する圧縮機の条件が限定されており、一般的かつ多くの圧縮機でその効果を享受するには至らなかった。
【０００５】
また、同期歯車（タイミングギヤ）を備えたスクリュー圧縮機においては、ロータの歯と同期歯車の回転位相を精密に調整する必要がある。それを容易にする構造については特公昭６２−２１５７号公報に開示されている。また、その調整方法の改良に関しては、特開平１−１５５０８９号公報に開示されている。調整作業は、ロータの噛み合い部にゲージを挿入して、ロータ歯面間の隙間を確認しながら進めるのが一般的である。特公昭６２−２１５７号公報では、メインケーシングにあけた穴からゲージを入れ、調整後に蓋となる部材で塞ぐ構造を採用している。特開平１−１５５０８９号公報では、ゲージを使った手作業に代えてロータリエンコーダを使用してロータ間の隙間を確認している。
【先行技術文献】
【特許文献】
【０００６】
【特許文献１】特開平６−２８８３６９号公報
【特許文献２】特開平１０−９１６４号公報
【特許文献３】特公昭６２−２１５７号公報
【特許文献４】特開平１−１５５０８９号公報
【発明の概要】
【発明が解決しようとする課題】
【０００７】
上記した特開平６−２８８３６９号公報又は特開平１０−９１６４号公報は、適用できるスクリュー圧縮機の構造や使用方法に条件があり、広く一般的に適用するには至らなかった。そのため、多くのスクリュー圧縮機に適用できる吸い込み量を増すための構造を具体化することが課題となっていた。そこで、上記課題に鑑み本発明の第１の目的は、作動室への被圧縮のガスの吸い込みを無駄なく円滑にし、スクリュー圧縮機の作業効率（被圧縮のガスの吸い込み効率）を向上させることにある。
【０００８】
上記した特公昭６２−２１５７号公報は、同期歯車の調整に有効であるものの、調整に際して蓋を取り外し、調整後に再度取り付ける手間がかかる上に、蓋ならびにその着脱構造を設ける必要がある。蓋を省略する方法もあるが、位置によっては調整用の穴から作動室に一旦吸い込んだガスが噴出する逆流の流路となって、圧縮機性能を低下させてしまうことがある。特開平１−１５５０８９号公報も有効な手段であるもののロータリエンコーダ等の機器を調整対象である圧縮機に固定する作業が必要で、やはり手間がかかる難点があった。そこで、本発明の第２の目的は、性能低下をもたらすことなく、ロータの噛み合い部をケーシングの外から見えるようにし、ロータ対と同期歯車の回転位相調整を容易化することにある。
【課題を解決するための手段】
【０００９】
上記課題を解決するために、被圧縮のガスを吸入して圧縮し、外部へ吐出するスクリュー圧縮機において、互いに噛み合った雄ロータ及び雌ロータと、前記雄ロータと前記雌ロータとを回転させる機構と、前記雄ロータ及び雌ロータとが収められたケーシングと、前記ケーシングに形成され、前記雄ロータ及び雌ロータの歯部を覆うボア部と、前記雄ロータの雄歯溝と前記雌ロータの雌歯溝との噛み合い部に形成された複数個の作動室と、前記ボア部の前記被圧縮のガスを吸入する側に設けられたアキシャル吸入ポートとを備え、前記アキシャル吸入ポートは、前記作動室の容積が略最大となる前記回転の回転角度において、前記外部と前記雌歯溝との連通、前記外部と前記雄歯溝との連通の順番に前記連通を止める形状である。
【００１０】
さらに、前記外部と雄歯溝との連通を止めた後の前記回転の回転角度において、前記作動室の前記被圧縮のガスを吸入する側は前記ボア部の壁面で覆われる。
【００１１】
また、被圧縮のガスを吸入して圧縮し、外部へ吐出するスクリュー圧縮機において、互いに噛み合った雄ロータ及び雌ロータと、前記雄ロータと前記雌ロータとを回転させる機構と、前記雄ロータ及び雌ロータとが収められたケーシングと、前記ケーシングに形成され、前記雄ロータ及び雌ロータの歯部を覆うボア部と、前記雄ロータの雄歯溝と前記雌ロータの雌歯溝との噛み合い部に形成された複数個の作動室と、前記ボア部の前記被圧縮のガスを吸入する側に設けられたアキシャル吸入ポートとを備え、前記アキシャル吸入ポートの輪郭は、前記作動室の容積が略最大となる前記回転の回転角度において、前記回転角度により前記雄ロータの後側となる前記被圧縮のガスを吸入する側の面での輪郭と、前記回転角度により前記雌ロータの後側となる前記被圧縮のガスを吸入する側の面での輪郭とを含み、前記回転方向と反対側に位置する前記被圧縮のガスを吸入する面を開口するとともに、前記回転方向側に位置する前記被圧縮のガスを吸入する面を塞ぐ。
【００１２】
さらに、前記ボア部の外周面の一部であって、前記噛み合い部が開放される位置に設けられたラジアル吸入ポートを備える。
【発明の効果】
【００１３】
本発明によれば、スクリュー圧縮機の作業効率を向上させることが可能となる。
【図面の簡単な説明】
【００１４】
【図１】実施例１のロータ対と吸入ポートの輪郭を示す図である。
【図２】実施例１のボア部外周面の展開図である。
【図３】従来のオイルフリー式スクリューの断面模式図である。
【図４】従来のロータ対と吸入ポートの輪郭である。
【図５】スクリュー圧縮機の作動室の容積変化と吸入流量のグラフである。
【発明を実施するための形態】
【００１５】
実施例１を説明する前に、スクリュー圧縮機一般の吸入ポートについて、図３と図４を用いて説明する。図３は、一般的なスクリュー圧縮機の模式的断面図であり、図４は、噛み合った両ロータの斜視図にボア部の面に開けた吸入ポートの輪郭を重ね書きした図である。
このスクリュー圧縮機は、被圧縮のガスを吸入して圧縮し、外部へ吐出するものである。
【００１６】
雄ロータ１と雌ロータ２は、互いに噛み合ってケーシング３の内部に形成したボア部４に収められている。すなわち、雄ロータ１と雌ロータ２は、ケーシング３に収められている。ボア部４は、雄ロータ１及び雌ロータ２の歯を形成した部分である歯部を覆うように、一部を重複した２つの円筒穴で形成されている。ボア部４の内面は、雌雄それぞれの円筒状外周面と両側の端面よりなる。図４でハッチングを施した雄ロータ１の歯溝５（以降、雄歯溝５という）と雌ロータ２の歯溝６（以降、雌歯溝６という）は、雄ロータ１と雌ロータ２とが噛み合った部分で連通するとともに、ボア部４の内面で囲われて、閉じた空間である作動室９を形成する。すなわち、作動室９は、雄歯溝５と雌歯溝６との噛み合い部に形成される。また、作動室９は、複数個形成される。雄ロータ１及び雌ロータ２の外周、噛み合い部及び端面には、ロータが円滑に回転するように微小な隙間が設けられているため、作動室９は厳密な意味では閉じた空間ではなく、隙間を通じて隣接する作動室とつながっている。しかし、これらの隙間やそこを通って漏れるガスの量は、微少量であり、本発明の主題に関係しないため、ここでは無視する。
【００１７】
雄ロータ１及び雌ロータ２の回転によって、作動室９は吸入側端面７上で生まれ、そこから吐出側端面８に向かって移動しながら、内容積を拡大する。内容積を拡大している間に、作動室９は、ケーシング３の外部まで連通するボア部４に開口した穴である吸入ポートに連通する。したがって、被圧縮のガスは、ケーシング３外部から吸入ポートを通って、作動室９に吸い込まれることになる。吸入ポートの輪郭線は、作動室９の容積がほぼ最大となった時に、作動室９との連通が終了し閉じられるように形成する。引き続き、作動室９は、図３又は図４ではロータ対の裏側に回りこみ、作動室９の内容積が縮小するので内部に閉じ込めたガスを圧縮することとなる。
【００１８】
オイルフリー式スクリュー圧縮機において、雄ロータ１の歯面と雌ロータ２の歯面とは噛み合っているが、その間に微小な隙間を維持する必要がある。そこで、雄ロータ１及び雌ロータ２の軸端に、雄ロータ１と雌ロータ２とを回転させる機構である同期歯車１０を備え、回転伝達は同期歯車１０に任せている。したがって、同期歯車１０の雌雄間の回転位相とスクリュー歯の回転位相とは精密に調整しておく必要がある。その位相を詳細に見ると、同期歯車１０のバックラッシは、スクリュー歯のバックラッシの中に納まるような相対角度関係にしている。
【００１９】
実施例１を、図１を用いて説明する。図１は、噛み合った雄ロータ１及び雌ロータ２の斜視図にボア部４面上に開けた吸入ポートの輪郭を重ね書きした図である。作動室９は、最大容積となった位置にあり、それより手前側に並ぶ作動室は容積拡大による吸入過程にある。雄ロータ１と雌ロータ２は、図中の矢印方向に回転し、作動室は手前の吸入側端面７から奥方向にある吐出側端面８に向かって移動する。ボア部４の面に設けた吸入ポートは、吸入側端面７に開け、被圧縮のガスを吸入する側に設けられたアキシャル吸入ポート１１と、ボア部４の外周面であって、雄ロータ１と雌ロータ２との噛み合い部が開放される位置に設けられたラジアル吸入ポート１２の２つである。これら２つの吸入ポートは、吸入側端面７外周の角部でつながり１つの開口部となっているが、その形状から分けて説明する。
【００２０】
アキシャル吸入ポート１１の吸入側端面７上に表われる輪郭線は、７つの線で構成している。それらは、噛み合い部の線１３，雄歯底径に沿った円弧１４，雄歯形に沿った線１５，雄歯先径に沿った円弧１６，雌歯先径に沿った円弧１７，雌歯形に沿った線１８，雌歯底径に沿った円弧１９で一周を成す。このうち、圧縮機の性能に大きく影響する輪郭線は、雄歯形に沿った線１５と、雌歯形に沿った線１８であり詳しく説明する。
【００２１】
図１中にハッチングで示した最大容積の作動室９は、吸入側端面７にも雄歯溝５及び雌歯溝６で面している。吸入側端面７上に現れた歯溝の輪郭は、ロータの回転に対して先行する側と追従する側の２つに分けて考える。特に重要なのは、追従側で、吸入側端面７における雄歯溝５の追従側輪郭線２１と、雌歯溝６の追従側輪郭線２２に着目する。
【００２２】
アキシャル吸入ポート１１の雄歯形に沿った線１５は、最大容積となる作動室９の吐出側端面８に面した雄歯溝５の追従側輪郭線２１に沿ったものとする。ただし、線１５を線２１に沿わせる精度は、ロータの直径の１／２０程度の誤差を許容できる。図１においては、区別して表現するため、吸入ポートの輪郭線１５と歯溝の追従側輪郭線２１を離して描いたが、実際には更に近い位置形状となる。
【００２３】
アキシャル吸入ポート１１の雌歯形に沿った線１８は、作動室９が最大容積となる回転角度より角度θｆだけ早期の回転位置における雌歯溝６の追従側輪郭線２２に沿ったものとする。したがって、図１に示す作動室９が最大容積となった瞬間には、追従側輪郭線２２はアキシャル吸入ポートを構成する線１８を通り過ぎた後となる。線１８の位置精度についても、ロータ直径の１／２０程度の誤差を許容できる。
【００２４】
ラジアル吸入ポート１２は、雄ロータ１及び雌ロータ２の噛み合い部のうち吸入側端面７に近い部分が上方から見える位置に開口し、内容積が拡大途上で吸入過程にある作動室２９に連通している。その輪郭のうち作動室が進行方向にある輪郭線２３は、作動室２９の進行方向に対して先行する側の輪郭を形成する雄歯先線２４と雌歯先線２５に沿った形状とする。作動室２９は、最大容積となる作動室９の２つ手前側の作動室である。また、作動室２９の１つ先で最大容積の作動室９の１つ手前の作動室は、アキシャル吸入ポート１１に対して閉じた直後になっている。
【００２５】
作動室と吸入ポートとの位置関係がわかりやすいように、図２にボア部外周面の展開図を示す。中央の縦線３１は、雄側と雌側のボア部４の外周の円筒面の交線で膨張側カスプ３１と呼ぶ。左右両側の縦線３２は、どちらも図１で裏側にあるボア部外周面の交線である圧縮側カスプ３２を意味する。斜めの線は、雌雄それぞれの歯溝を区切る歯先線である。最大容積となった作動室９は、雄歯溝５と雌歯溝６で示される。ロータの回転により、雄歯溝５，雌歯溝６は、図２中の矢印の向きに上方に移動する。下の横線は吸入側端面７を意味し、上の横線は吐出側端面８を意味する。
【００２６】
図２において、アキシャル吸入ポート１１はボア部の下に隣接して表記される開口部として示され、その雄側の輪郭線１５と雌側の輪郭線１８で、作動室９との連通があるか否かを判断できる。図２中に、アキシャル吸入ポート１１を重ね書きすることで、作動室２９との連通関係がわかりやすい。
【００２７】
すなわち、アキシャル吸入ポート１１は、作動室９の容積が略最大となる雄ロータ１及び雌ロータ２の回転の回転角度において、圧縮機の外部と雌歯溝６との連通、圧縮機の外部と雄歯溝５との連通の順番に連通を止める形状である。また、圧縮機の外部と雄歯溝５との連通を止めた後の雄ロータ１及び雌ロータ２の回転の回転角度において、作動室９の被圧縮のガスを吸入する側はボア部４の壁面で覆われる。
【００２８】
また、アキシャル吸入ポート１１の輪郭は、作動室９の容積が略最大となる雄ロータ１及び雌ロータ２の回転の回転角度において、この回転角度により雄ロータ１の後側となる被圧縮のガスを吸入する側の面での輪郭と、この回転角度により雌ロータ２の後側となる被圧縮のガスを吸入する側の面での輪郭とを含み、この回転方向と反対側に位置する被圧縮のガスを吸入する面を開口するとともに、この回転方向側に位置する被圧縮のガスを吸入する面を塞ぐ。
【００２９】
以上で説明したスクリュー圧縮機は、以下のように作用する。
【００３０】
図１ならびに図２において、ロータの回転によって、全ての作動室は、吸入側端面７から吐出側端面８に向かって移動しながら、内容積を拡大して最大容積の作動室９に至り、その後に内容積の縮小に転ずる。図５に、その内容積の変化を示すとともに、これを時間微分したグラフも併記する。内容積の変化を時間微分したグラフは、作動室に吸い込む体積流量が時間を追って変化する傾向を意味する。また、図５には、作動室に対しての各吸入ポートの開口期間を記載した。
【００３１】
作動室は、回転角度θ0において、吸入側端面７上で生じてから内容積が増加を続けるが、その間、作動室はアキシャル吸入ポート１１と連通を続ける。角度θ1において、作動室の吸入側端面７に面する部分が、雄ロータ１側及び雌ロータ２側のそれぞれに分離する。これと、ほぼ同時期に、ボア部４の外周ｆにも面してラジアル吸入ポート１２とも連通を開始する。角度θ1からしばらくの期間は、被圧縮のガスを吸入する流量が多くなるが、被圧縮のガスはアキシャル吸入ポート１１及びラジアル吸入ポート１２を通って作動室に吸い込まれる。アキシャル吸入ポート１１及びラジアル吸入ポート１２による広い開口面積であるために、通過するガスの圧力損失は小さく、被圧縮のガスを円滑に吸入することが可能である。
【００３２】
雌歯溝３６の先頭が吐出側端面８に達すると、そこから先は容積拡大の速度が次第に低下し、吸入流量が減少に転じる。それと前後して、角度θ2でラジアル吸入ポート１２が作動室に対して閉じられる。ここで着目すべきは、図２に示すように、雄歯溝３５の先頭が吐出側端面８に達するのは、雌歯溝３６の先頭が吐出側端面８に達するよりも後になることである。このため、雌歯溝３６への吸入流量が先に減少に転じても、ある程度の時間は雄歯溝３５への吸入流量は持続する。このため、雄歯溝３５及び雌歯溝３６が連通する噛み合い部においては、膨張側カスプ３１を横切って、流入し続ける雄歯溝３５から容積拡大が鈍化した雌歯溝３６への流れ３３が発生する。雄歯溝５内を進む吸入するガスの慣性も、雌歯溝６への流れ３３を増長させる。
【００３３】
雌歯溝３６の吸入側端面７が開いているときに、雄歯溝３５から雌歯溝３６への流れ３３が強いと、吸入に対して逆流３４となってしまう。この逆流３４は、圧縮機の吸入流量を減らし効率を低下させるため好ましくない。実施例１において、アキシャル吸入ポート１１の雌側輪郭線１８は、雄側輪郭線１５よりも早めに閉じて、逆流３４を防止する効果があり、圧縮機の効率向上に寄与する。図５では、角度θ3で雌歯溝３６に対するアキシャル吸入ポート１１を閉じる動作として示した。
【００３４】
雌歯形に沿った線１８を早めに閉じることで、吸入ポートの開口面積が縮小し、圧損増加が懸念されることもある。しかし、図５に示したように、最大容積近くになると吸入流量が極端に小さくなるため、開口面積は雄側だけで十分確保されており、圧力損失が増加する問題がない。
【００３５】
作動室容積が最大となる回転角度θ4において、最後まで開口していた雄側のアキシャル吸入ポート１１が閉じられ、吸入過程が完了する。
【００３６】
ラジアル吸入ポート１２は、ガスの吸入流路としてだけではなく、同期歯車の固定位置を調整する際に雌雄歯面間の隙間にはさむゲージの挿入穴として使うことができる。開口部は歯の全長にわたる必要は無く、図１や図２に示したように軸方向に１歯分以上の長さがあれば十分である。同期歯車の固定位置を調整する方法については、特公昭６２−２１５７号公報及び特開平１−１５５０８９号公報に詳述されているので、ここでは簡潔に説明する。両ロータの間には連続的に細長く形成される隙間があり、この所定位置に隙間ゲージを挿入した状態で、同期歯車の回転位相を調整しながら軸に固定する。隙間ゲージの挿入作業に際して、雄ロータ１及び雌ロータ２の噛み合い部が半径方向から見えると作業性が良い。ゲージや作業者の手が入りやすく、その位置を容易に目視できるためである。実施例１のラジアル吸入ポート１２はその意味で都合のよい位置と大きさである。
【００３７】
ただし、過大なラジアル吸入ポート１２は、圧縮機性能を低下させることがわかっている。例えば、最大容積となる作動室９（すなわち雄歯溝５と雌歯溝６）の位置で閉じられるラジアル吸入ポート１２が幾何的に最大限で、図２で輪郭線２１と２２に連なる斜線がその輪郭の一部となる。このようなラジアル吸入ポートがあると、吸入流量が減少してきたときに、アキシャル吸入ポート１１から作動室９内に吸い込んだ被圧縮のガスが、慣性力や遠心力によりラジアル吸入ポート１２から出て逆流となってしまう。したがって、圧損を減じて吸い込み量を増やしたい意思に反し、逆流により吸い込み量を減らす悪影響が現れる。逆流した被圧縮のガスは、高温のロータやボア部の壁に触れて温度が上昇しているために、以降の作動室に再吸入されたとしても膨張していて質量流量を減少する悪影響を及ぼすこともある。
【００３８】
これに対して、実施例１のように大きさを限定し、アキシャル吸入ポート１１よりも早期に閉じるラジアル吸入ポート１２は、逆流が発生しうる頃には既に閉じており、悪影響を及ぼさないか、あっても極めて微小ですむ。
【００３９】
実施例１において、アキシャル吸入ポート１１とラジアル吸入ポート１２は、個々に適用することも可能であり、その場合にも各々の効果を享受することができる。一方で、両者を共に備えた場合には、新たな相乗効果も享受できる。その相乗効果とは、吸入過程における圧損の低減による吸入量の増加である。作動室容積の変化ならびに吸入流量の変化は、図５に示すような傾向があるので、吸入流量の多い吸入過程中盤では吸入ポートの開口面積を広げて通過圧損を減らすことが望ましい。その一方で、最大容積に近づいて吸入流量が減る段階に至っては、先に述べたように開口面積は小さくてよく、かえって逆流を防止することが重要になる。
【００４０】
実施例１のラジアル吸入ポート１２は、吸入量が増す吸入過程の中盤に開口しているため、通過圧損の低減に貢献しうるとともに、終盤においては閉塞しているため逆流を起こす悪影響がないという効果がある。
【００４１】
実施例１によれば、吸入過程にある作動室が、円滑かつ低圧損で被圧縮のガスを吸入するとともに、最大容積となって吸入ポートを閉じる直前で発生する逆流を防止することができる。このため、スクリュー圧縮機の作業効率（被圧縮のガスの吸い込み効率）を向上させることが可能となる。
【００４２】
また、ラジアル吸入ポートから雌雄ロータの噛み合い部が見えるため、そこからゲージを歯面間に入れやすく、同期歯車を固定する際の調整が容易となる。よってスクリュー圧縮機の組み立てを迅速かつ精度よくすることが可能となる。
【００４３】
作動室が最大容積となる直前での雌歯溝から吸入流路へ逆流を防止し、ガス運搬量を増す。また、噛み合い部の開口により同期歯車の調整が容易でありながら、性能低下のデメリットを生じない。
【符号の説明】
【００４４】
１  雄ロータ
２  雌ロータ
３  ケーシング
４  ボア部
５  雄ロータの歯溝
６  雌ロータの歯溝（これら歯溝が作動室９になる）
７  吸入側端面
８  吐出側端面
９  作動室
１０  同期歯車
１１  アキシャル吸入ポート
１２  ラジアル吸入ポート
１３〜１９  アキシャル吸入ポートの輪郭を構成する個々の線
２１  雄歯溝５の追従側輪郭線
２２  雌歯溝６の追従側輪郭線
２３  アキシャル吸入ポート１２の進行側輪郭線
２４  雄歯先線
２５  雌歯先線
２９  作動室（内容積拡大中で吸入過程にある）
３１  膨張側カスプ
３２  圧縮側カスプ
３３  雄歯溝から雌歯溝への流れ
３４  雌歯溝からの逆流
３５  吐出側に達する直前の雄歯溝
３６  吐出側に達した雌歯溝
【図１】
0005486851.tif 000002
【図２】
0005486851.tif 000003
【図３】
0005486851.tif 000004
【図４】
0005486851.tif 000005
【図５】
0005486851.tif 000006